(57)【特許請求の範囲】
【請求項１】
データシンボルを含むデータブロックを有し、同一でない距離の位置に所定の同期シンボルを含む少なくとも３つの同期ブロック（３１−３５）を有するバースト信号（３）を受信するための受信機であって、
前記受信機が前記同一でない距離の同期ブロックを位置決めするためのロケータ（６３）を有し、
各々の同期シンボルと、前記バースト信号（３）の中央に対する各々の同期シンボルへの距離とが乗算されて、積を生じ、
前記中央から左に位置する同期シンボルから生じる前記積の総和が、前記中央から右に位置する同期シンボルから生じる前記積の総和と等しい、ことを特徴とする受信機。
【請求項２】
同期ブロックのフェーズを決定するため前記ロケータ（６３）に接続された決定器（６５）を有することを特徴とする、請求項１に記載の受信機。
【請求項３】
隣接する並びに隣接しない、同じ距離でない同期ブロックに応じて検出器もしくは復調器（６６）を同期させるため、前記ロケータ（６３）にかつ前記決定器（６５）に結合されたシンクロナイザ（６４）を有することを特徴とする、請求項２に記載の受信機。
【請求項４】
位置および／またはフェーズに応じて周波数を計算するためのプロセッサシステム（６０）を有することを特徴とする、請求項１から３のいずれか一項に記載の受信機。
【請求項５】
前記プロセッサシステム（６０）が、計算された周波数、位置、および／又はフェーズに応じてメイン周波数を推定するための推定器を有することを特徴とする、請求項４に記載の受信機。
【請求項６】
データシンボルを含むデータブロックを有し、同一でない距離の位置に所定の同期シンボルを含む少なくとも３つの同期ブロック（３１−３５）を有するバースト信号（３）を送信するための送信機であって、
前記送信機が前記同一の距離でない同期ブロックを生成するためのジェネレータ（５２）を有し、
各々の同期シンボルと、前記バースト信号（３）の中央に対する各々の同期シンボルへの距離とが乗算されて、積を生じ、
前記中央から左に位置する同期シンボルから生じる前記積の総和が、前記中央から右に位置する同期シンボルから生じる前記積の総和と等しい、ことを特徴とする送信機。
【請求項７】
データシンボルを含むデータブロックを有し、同一でない距離の位置に所定の同期シンボルを含む少なくとも３つの同期ブロック（３１−３５）を有するバースト信号（３）を受信および／または送信するための方法であって、
前記方法が、前記同一の距離でない同期ブロック（３１−３５）を位置決めするステップを有し、
各々の同期シンボルと、前記バースト信号（３）の中央に対する各々の同期シンボルへの距離とが乗算されて、積を生じ、
前記中央から左に位置する同期シンボルから生じる前記積の総和が、前記中央から右に位置する同期シンボルから生じる前記積の総和と等しい、ことを特徴とする方法。
【発明の詳細な説明】
【０００１】
【発明が属する技術分野】
本発明は、所定の同期シンボルを含む同期ブロックを有しかつデータシンボルを含むデータブロックを有するバースト信号を受信するための受信機に関する。
【０００２】
【従来の技術】
そのような受信機は、広く知られており、前記所定の同期シンボルを識別するための識別器を有し、かつ、前記識別に応じてバースト信号の少なくとも１つの周波数および／または少なくとも１つのフェーズおよび／または少なくとも１つのタイミングを推定するためまた前記データシンボルを（たとえば復調など）検出するための（たとえば復調器などの）検出器を同期させるため前記識別器に結合されたシンクロナイザを有する。
【０００３】
既知のバースト信号は、１つの同期ブロックを有するかもしくはいくつかの同一距離の同期ブロックを有する。
【０００４】
１つの同期ブロックを有する場合、受信機は同期目的ではこの単一のブロックのみをもつ。この場合、（データブロックのサイズに比して）比較的小さい同期ブロックが高い情報効率をもたらすが、同期精度は低い。そして、（データブロックのサイズに比して）比較的大きい同期ブロックは高い同期精度をもたらすが、情報効率は低い。
【０００５】
いくつかの同一距離の同期ブロックを有する場合、受信機は、同期目的のため、いくつかのブロックを有する。このとき、広く分離されたブロックのフェーズの差異がプラスもしくはマイナス１８０度を超えるためにあいまいさを招く、ブロックのいくつかの間の広い距離のせいで、周波数の小さい偏移が同期されることができる一方、同期ブロックの間の一定の距離は前記のあいまいさを解消するための必要な情報を提供しない。
【０００６】
当該既知の受信機は、とりわけ、周波数および／またはタイミングにおけるより大きい偏移を、高い情報効率および／または高い同期精度と組み合わせて同期することができないために、不利である。
【０００７】
【発明が解決すべき課題】
本発明の目的は、とりわけ、同期されるべき周波数および／またはタイミングのより大きい偏移を、高い情報効率および／または高い同期精度との組合せにおいて許容する、前段に定義されたような受信機を提供することである。
【０００８】
【課題を解決するための手段】
本発明による受信機は、前記バースト信号が同一でない距離の位置に少なくとも３つの同期ブロックを有し、受信機が前記同一距離でない同期ブロックを位置決めするためのロケータを有することを特徴とする。
【０００９】
二つブロック間の距離をたとえば第１のブロックの第１のシンボルと第２のブロックの第１のシンボルとの間の距離もしくはたとえば第１のブロックの中央と第２のブロックの中央との間の距離と定義する同一でない距離の位置に少なくとも３つの同期ブロックを有するバースト信号を定義することにより、かつ、（たとえば前記第１のシンボルもしくは前記中央と対応する、前記同一距離でない同期ブロックの位置を決定する）前記同一距離でない同期ブロックを位置決め（すなわちローカライズ）するための前記ロケータを受信機に提供することにより、周波数および／またはタイミングにおけるより大きな偏移が、高い情報効率（データブロックの大きいサイズに比して比較的小さい同期ブロック）および／または高い同期精度との組合せにおいて同期されうる。
【００１０】
本発明は、とりわけ、異なった距離において現れるさらなる情報のおかげで、ある数の同一距離でない同期ブロックが、同一距離の位置にある同一の数の同一同期ブロックよりも多い情報を有するという洞察に基づいている。
【００１１】
本発明は、とりわけ、同期されるべき周波数および／またはタイミングにおけるより大きな偏移を、高い情報効率および／または高い同期精度との組合せにおいて許容する受信機を提供するという問題を解決する。
【００１２】
本発明による受信機の第１の実施形態は、受信機が、同期ブロックのフェーズを決定するためロケータに結合された決定器を有することを特徴とする。
【００１３】
前記決定器を伴う受信機を提供することにより、第１の同期ブロックの第１のフェーズおよび第２の同期ブロックの第２のフェーズおよび第３の同期ブロックの第３のフェーズなどが決定され、第１と第２のフェーズの間の差が（時間で表現された）第１と第２の同期ブロックの間の第１の距離で割られ、前記バースト信号の周波数（およびフェーズ）の第１の推定をもたらし、ついで、この推定が、第２と第３のフェーズの間の差を（時間で表現された）第２と第３の同期ブロックの間の第２の距離で割る際にフェーズ訂正のために用いられ、前記バースト信号の周波数（およびフェーズ）の第２の（より正確な）推定をもたらす、などである。
【００１４】
もちろん、前記シンボルに対して、たとえば、ＢＰＳＫ、ＱＳＫ、ＱＡＭ、ＴＲＥＬＬＩＳもしくはさらなる既知の変調方法など、すべての異なる種類の変調方法を用い得る。各同期ブロックのフェーズは、既知の情報を用いて、変調が取り除かれた後、前記同期ブロックの各同期シンボルのベクトルを合計することによりもたらされる合計ベクトルの角度に対応する。
【００１５】
本発明による受信機の第２の実施形態は、前記受信機が隣接する並びに隣接しない、同一距離でない同期ブロックに応じて検出器もしくは復調器を同期するため、前記ロケータにおよび前記決定器に結合されたシンクロナイザを有することを特徴とする。
【００１６】
隣接する並びに隣接しない（たとえば各可能なペアの）同一距離でない同期ブロックに応じて検出器もしくは復調器を同期するためのシンクロナイザを受信機に提供することにより、今度は、前記第１および（より正確な）第２の推定に加えて、第３の推定が、第１と第３のフェーズの差を前記第１と第３の同期ブロックの間の第３の（時間で表現された）距離で割ることによりなされ得、前記バースト信号の周波数（およびフェーズ）の前記第３の推定をもたらす、などである。
【００１７】
後続の（隣接する）同期ブロックのペアを用いるだけでなく、各可能な２同期ブロックのすべてのペア（後続のすなわち隣接する同期ブロック並びに後続でないすなわち隣接しない同期ブロック）をたとえば用いることにより、とりわけ、異なる距離において現れるさらなる情報により、ある数の同一距離でない同期ブロックが同一距離の位置にある同数の同一の同期ブロックよりも多くの情報を含むという本発明の洞察が、最大に用いられる。
【００１８】
本発明による受信機の第３の実施形態は、前記受信機が、位置および／またはフェーズに応じて周波数を計算するためのプロセッサシステムを有することを特徴とする。
【００１９】
前記プロセッサシステムは、例えば、前記識別器（もしくは前記識別器となる識別機能）、および／または前記シンクロナイザ（もしくは前記シンクロナイザとなる同期機能）、および／または前記検出器もしくは復調器（もしくは前記検出器もしくは復調器となる検出もしくは復調機能）、および／または前記ロケータ（もしくは前記ロケータとなる位置決め機能）、および／または前記決定器（もしくは前記決定器となる決定機能）、および／または識別のためにシンボルを比較する比較器（もしくは前記比較器となる比較機能）、および／または加算、引き算、積算、割り算、等のための計算機（もしくは前記計算機となる計算機能）を有する。
【００２０】
本発明による受信機の第４の実施形態は、前記プロセッサシステムが、計算された周波数、位置、および／またはフェーズに応じてメイン周波数を推定するための推定器を有することを特徴とする。
【００２１】
前記プロセッサシステムは、例えば回帰を実行するため、例えば前記推定器（もしくは前記推定器となる推定機能）を有する。
【００２２】
本発明は、さらに、所定の同期シンボルを含む同期ブロックを有しかつデータシンボルを含むデータブロックを有するバースト信号を送信するための送信機に関する。
【００２３】
本発明による送信機は、前記バースト信号が同一距離でない位置に少なくとも３つの同期ブロックを含み、前記送信機が前記同一距離でない同期ブロックを生成するための生成器を有することを特徴とする。
【００２４】
本発明による送信機の第１の実施形態は、前記バースト信号の中央から左に位置し、前記中央への距離と掛け合わされた同期シンボルから生じる第１の積の第１の合計が、前記中央から右に位置し、前記中央への距離と掛け合わされた同期シンボルから生じる第２の積の第２の合計と大概等しいことを特徴とする。
【００２５】
前記生成器を、前記同期ブロックが同一距離でなく配置されるような方法に適合することによって、今度は、すべての同期シンボルの重心が主にバースト信号中央に対応し、（前記主に対応する中央の左および右でなされた）エラーが補償されるため改善された同期が達成され得、高い同期精度がもたらされる。重心は、例えば、文字通り、信号のエネルギーによって表される各シンボルの重みによって定義される。
【００２６】
本発明による各（実施形態の前記）受信機、および／または本発明による各（実施形態の前記）送信機が、部分的にもしくは完全にプロセッサ（システム）に対応し得、かつ／または、通常は、しかし排他的ではないが無線、コードレス、および／または移動通信のための（スイッチ、基地局、ノード、ブリッジ、ルータ、ゲートウエイなどのような）ネットワークユニット、端末、（例えばベースステーションやゲートウエイなどのような）レジデンシャルユニット、もしくはサーバなどに対応し得ることに注意されたい。
【００２７】
本発明はまたさらに、所定の同期シンボルを含む同期ブロックを有しかつデータシンボルを含むデータブロックを有するバースト信号を受信しかつ／または送信する方法に関する。
【００２８】
本発明による方法は、前記バースト信号が同一距離でない位置に少なくとも３つの同期ブロックを有し、前記方法が前記同一距離でない同期ブロックを位置決めするステップを有することを特徴とする。
【００２９】
本発明による方法の実施形態は、本発明による前記受信機の実施形態および／または本発明による前記送信機の実施形態に対応する。
【００３０】
本発明はまた、所定の同期シンボルを含む同期ブロックを有しかつデータシンボルを含むデータブロックを有するバースト信号に関する。
【００３１】
本発明によるバースト信号は、前記バースト信号が同一距離でない位置に少なくとも３つの同期ブロックを有することを特徴とする。
【００３２】
本発明によるバースト信号の第１の実施形態は、前記バースト信号の中央から左に位置し、前記中央への間隔を掛け合わされた同期シンボルから生じる第１の積の第１の合計が、前記中央から右に位置し、前記中央への間隔を掛け合わされた同期シンボルから生じる第２の積の第２の合計と大概等しいことを特徴とする。
【００３３】
前記同期ブロックを同一距離でなく位置決めすることにより、今度は、すべての同期シンボルの重心が主にバースト信号の中央に対応し、前記主に対応する中央の左および右でなされた）エラーが補償されることにより、改善された同期が達成され、より高い同期精度がもたらされる。重心は、例えば、文字通り信号のエネルギーによって表される各信号の重みで定義される。
【００３４】
本発明を、図に示される例によってより詳細にさらに説明する。
【００３５】
【発明の実施の形態】
図１は、第１の従来技術のバースト信号１を開示し、当該バースト信号は、例えば８つ（もしくは例えば１６もしくは８０）の同期シンボルを含む同期ブロック１１を有しかつ例えば２０（もしくは例えば４０もしくは２００）のデータシンボルを含むデータブロック１６を有する。第２の従来技術のバースト信号２は４の同一距離の同期ブロック２１から２４を有し、各ブロックは例えば２（もしくは例えば４もしくは２０）の同期シンボルを含み、データブロックが、同期ブロックの各ペアの間に位置している。本発明による第３のバースト信号３は、５の同一距離でない同期ブロック３１から３５を有し、第１の同期ブロック３５は、例えば、４（もしくは例えば８もしくは４０）の同期シンボルを含み、かつ他の同期ブロック３２から３５は各々例えば１（もしくは例えば２もしくは１０）の同期シンボルを含み、データブロックが、同期ブロックの各ペアの間に位置している。関数４は、フェーズ軸を縦に、時間軸を横に示し、前記関数の傾きは周波数に対応し、点４１から４５はそれぞれ同期ブロック３１から３５に対応する。
【００３６】
図２は、バースト信号によって送信されるべきデータを受信するための入力と、前記データをデータ接続を介してコンバイナ５３の第１の入力に結合されたデータブロックの形式で供給する出力とを備えたデータ供給器５１に制御接続によって結合されたプロセッサ（システム）５０を有する送信機を開示する。プロセッサ５０は、さらに、制御接続によって、同一距離でない同期ブロックを生成するための生成器５２に結合されており、生成器は、前記データブロックおよび前記同一距離でない同期ブロックを結合するためのコンバイナ５３の第２の入力に結合されている。プロセッサ５０はまた、制御接続を介してコンバイナ５３に結合され、かつ、その入力がデータ接続を介してコンバイナ５３の前記出力に結合されかつその出力が有線かつ／または無線かつ／またはコードレスかつ／またはモバイル（および公衆および／または私設）ネットワークであるネットワーク７０に結合された変調器もしくは変換器５４に結合される。
【００３７】
図２の受信機は、制御接続を介して復調器もしくは逆変換器もしくはフィルタ６１に結合されたプロセッサ（システム）６０を有し、復調器もしくは逆変換器もしくはフィルタ６１の１つの入力は前記ネットワーク７０に結合されかつ１つの出力はデータ接続を介して識別器６２の入力に結合される。識別器６２の出力はデータ接続を介して検出器もしくは復調器６６の第１の入力に結合され、検出器もしくは復調器６６の第２の入力は制御接続を介してロケータ６３に結合されかつ第３の入力は制御接続を介してシンクロナイザ６４に結合されかつ第４の入力は制御接続を介して決定器６４に結合される。ロケータ６３、シンクロナイザ６４および決定器６５はそれぞれ制御接続を介してプロセッサ６０と結合されており、かつすべて制御バス６７に結合されており、制御バス６７はさらにプロセッサ６０および識別器６２に結合されている。検出器もしくは復調器６６の出力は、データ供給器５１で入力された前記データを生成する。
【００３８】
図２に示された本発明による送信機および本発明による受信機は、以下のように機能する。生成器５２は、例えばプロセッサ５０もしくは示されないメモリから所定の同期シンボルを含む同一距離でない同期ブロック３１から３５を受取り、これらのブロック３１から３５をプロセッサ５０の制御下で（例えばシフトレジスタとメモリのような）コンバイナ５３に供給する。（例えばバッファなどである）データ供給器５１は、たとえば図示しない（たとえばマイクロフォンやカメラのような）マンマシンインターフェースからもしくは図示しないデータベースからもしくはプロセッサ５０から送信されるべきデータを受取り、プロセッサ５０の制御下でかつこれらのデータブロックが前記同期ブロックの間にフィットするように、前記データをデータブロックの形式でコンバイナ５３に供給する。コンバイナ５３は、プロセッサ５０の制御下で、前記ブロックをバースト信号３へと結合し、このバースト信号３は（変調目的のおよび／またはＤ／Ａ変換目的などの）変調器もしくは変換器５４を介して、ネットワーク７０に、前記送信機で生成されたバースト信号周波数で、送信される。
【００３９】
このバースト信号周波数が前記受信機において生成される同期周波数と１００％等しくなることはありえないということにより、および／または、ジッタ−により、受信機は同期されなければならないが、この同期は、フェーズロックループ（ＰＬＬ）を介してはなされえない。なぜなら、前記バースト信号は（例えば、ＴＤＭＡもしくはＣＤＭＡ信号のような）あまりにも短い継続時間を有しているからである。
【００４０】
バースト信号３は、復調器もしくは逆変換器もしくはフィルタ６１に到着し、これがプロセッサ６０に通知し、かつ、このバースト信号を、復調および／またはＡ／Ｄ変換および／またはフィルタリング後に、識別器６２に供給する。識別器６２は、例えば、前記バースト信号３のブロックおよび／またはシンボルをたとえばプロセッサ６０もしくは図示しないメモリから発生する比較情報と比較するためのコンパレータを有し、かつ、同期ブロック３１から３５を識別して、これらの同期ブロック３１から３５もしくはこれらの同期ブロック３１から３５に関する情報を、例えばプロセッサ６０、ロケータ６３、シンクロナイザ６４および決定器６５に制御バス６７を介して供給する。ロケータ６３は、これらの同期ブロック３１から３５を位置決めし（すなわち、ブロックの位置を、例えば各ブロックの最初のシンボルおよび／または各ブロックの中央などを確定し）、プロセッサ６０および／またはシンクロナイザ６４に通知する。その後、シンクロナイザ６４は検出器もしくは復調器６６の前記第３の入力を介して直接的に、もしくはたとえばプロセッサ６０もしくはロケータ６３および前記検出器もしくは復調器６６の第２の入力を介して間接的に、前記（復調されかつ／または逆変換されかつ／またはフィルタされた）バースト信号３を識別器６２から受信しておりかつ前記同期のおかげでデータ供給５１に入力される前記データを生成するために前記データブロックを検出し復調できる検出器もしくは復調器６６を、同期する。
【００４１】
好ましくは、上記に加え、決定器６５が用いられて、前記第１の同期ブロック３１の第１のフェーズ、前記第２の同期ブロック３２の第２のフェーズ、および前記第３の同期ブロック３３の第３のフェーズ等々を決定し、この情報をプロセッサ６０に供給する。プロセッサ６０は、これら第１と第２のフェーズの間の第１の差を計算しかつこの第１の差を同期ブロック３１と３２との間の（時間で表された）第１の距離で割るための計算機を有し、バースト信号３の周波数（およびフェーズ）の第１の粗い推定をもたらし、この推定は、ついで、第２と第３のフェーズの間の第２の差を両同期ブロック３２と３３の間の（時間で表された）第２の距離で割る際にフェーズ訂正のために用いられ、バースト信号３の周波数（およびフェーズ）の第２の（より正確な）推定をもたらす、などである。これは、複数ステップの同期である。
【００４２】
もちろん、前記シンボルに対して、すべての異なる種類の変調方法、例えばＢＰＳＫ、ＱＰＳＫ、ＱＡＭ、ＴＲＥＬＬＩＳもしくはさらなる既知の変調方法を用いうる。各同期ブロックのフェーズは、既知の情報を用いて、変調が取り去られた後、前記同期ブロックの各同期シンボルのベクトルを合計することから生じる合計ベクトルの角度に対応する。
【００４３】
さらに好ましくは、上記に加え、シンクロナイザ６４が用いられ、隣接する並びに隣接しない（最良場合には各ペアの）同一距離でない同期ブロックに応じて検出器もしくは復調器６６を同期する。このとき、前記第１および（より正確な）第２の推定に加え、第１と第３のフェーズの間の差を、第１と第３の同期ブロックの間の（時間で表された）第３の距離で割ることにより第３の推定がなされ得、前記バースト信号の周波数（およびフェーズ）の前記第３の推定をもたらす、などである。
【００４４】
後続の（隣接する）同期ブロックのペアを用いるだけでなく、各可能な２同期ブロック（後続すなわち隣接する同期ブロック並びに後続しないすなわち隣接しない同期ブロック）のペアの（ほとんど）すべてを用いることにより、とりわけ、異なる距離においてさらなる情報が現れることからある数の同一距離でない同期ブロックが同一数の同一距離位置に存在する同一の同期ブロックよりも多くの情報を含むという洞察を最大に用いる。
【００４５】
通常、しかしその他の可能性を否定するわけではないが、各可能な２同期ブロック（後続すなわち隣接する同期ブロック並びに後続しないすなわち隣接しない同期ブロック）ペアについて、各ペア内の距離を決定し、その後、すべての可能なペアが前記距離に応じて順番（列状）におかれる。
【００４６】
ついで、もっとも小さい距離を有するペアが第１の推定に用いられ、ついで、２番目に小さい間隔を有する次のペアが第２の推定のために用いられるなどする。しかしながら、他の順序（列）を排除するわけではない。代替的に、および／または付加的に、プロセッサ６０は、計算された周波数、位置、および／またはフェーズに応じてメイン周波数を推定して、例えば線形回帰を実施するための図示しない推定器（もしくは前記推定器となる推定機能）を有していてもよい。このとき、決定器６５によって決定される点４１から４５は、決定器６５により実施される複数ステップ同期とは逆に、（線形回帰は複数のステップを含みうるのだが）プロセッサ６０によって１ステップ同期のために用いられる。
【００４７】
上記の一部は、さらに前記送信機を、前記バースト信号の中央から左に位置し、前記中央からの距離を掛け合わされた同期シンボルから生じるかつ該シンボルの第１の積の第１の合計が、前記中央から右に位置し、前記中央への距離を掛け合わせた同期シンボルから生じる第２の積の第２の合計と大概等しい（主として対応する）ように適合させることによって改善することができる。前記生成器５２（および／またはコンバイナ５３）を適合して前記同期ブロックが同一距離でないように位置するようにすることにより、今度は、すべての同期シンボルの重心が主にバースト信号中央に対応し、（前記主に対応する中央の左および右でなされた）エラーが補償されることにより、改善された同期が達成され、高い同期精度がもたらされる。重心はたとえば、文字通り、信号のエネルギーによって表現される各信号の重みで定義される。
【００４８】
ブロックの形式で示された、もしくは示されない前期送信機および受信機の各部分は１００％ハードウエア、１００％ソフトウエアもしくは両方の混合であってよい。前記送信機および受信機はそれぞれ両方向で利用するための送受信機であってよく、この場合、各送受信機は、前記送信機および前記受信機の（すくなくともほとんど）すべての部分を有し、前記プロセッサおよび／またはプロセッサシステムは（例えば統合されるなど）結合されてもされなくてもよい。前記プロセッサおよび／またはプロセッサシステムは、各々前記識別器（もしくは前記識別器となる識別機能）、および／または前記シンクロナイザ（もしくは前記シンクロナイザとなる同期機能）、および／または前記検出器もしくは復調器（もしくは前記検出器もしくは復調器となる検出もしくは復調機能）、および／または前記ロケータ（もしくは前記ロケータとなる位置決め機能）、および／または前記決定器（もしくは前記決定器となる決定機能）、および／または識別目的でシンボルを比較するコンパレータ（もしくは前記コンパレータとなる比較機能）、および／または加算、減算、積算および／もしくは割算のためなどの計算機（もしくは前記計算機となる計算機能）を有することができる。前記プロセッサおよび／またはプロセッサシステムは各々図示されない前記推定器（もしくは前記推定器となる推定機能）を含んで前記推定器から離すことができ、このとき推定器は別個のユニットとなる。
【００４９】
図示されもしくは図示されない各ブロックは各別の図示されかつ／または図示されないブロックと送信機および受信機ごとに統合することができる。すでに述べたメモリに加え、各ブロックは、効率目的でさらなる図示されないメモリを有することができる。各バスは、別個の接続に置き換えることができ、例えば、その際マルチプレクサやデマルチプレクサを導入することが出来る。並列化の目的などのためにバッファおよび／またはスイッチを導入することができる。復調器もしくは変換器は復調器および／または変換器を有し、検出器もしくは復調器は検出器および／または復調器を有し、復調器もしくは逆変換器もしくはフィルタは、復調器および／または逆変換機および／またはフィルタを有する。
【図面の簡単な説明】
【図１】２つの従来技術バースト信号および本発明によるバースト信号を示す図である。
【図２】本発明による送信機および本発明による受信機を開示する図である。
【符号の説明】
１、２  従来技術バースト信号
３  本発明のバースト信号
４  関数
１１、２１、２２、２３、２４、３１、３２、３３、３４、３５  同期ブロック
１６  データブロック
４１、４２、４３、４４、４５  点
５０、６０  プロセッサ
５１  データ供給
５２  生成器
５３  コンバイナ
５４  変調器（変換器）
７０  ネットワーク
６１  フィルタ（逆変換器）
６２  識別器
６３  ロケータ
６４  シンクロナイザ
６５  決定器
６６  復調器
【図１】
0003964752.tif 000002
【図２】
0003964752.tif 000003